(57)【要約】【課題】本発明は、信号転送の妨害が低い電気コネクタを提供することを目的とする。【解決手段】本発明の電気コネクタは、絶縁性本体と、基部と、前記基部から延在し、第１表面及び第２表面を含む舌板とを有する絶縁性本体と、複数の第１端子と、複数の第２端子と、を備える。各第１端子は、前記第１表面から露出される第１接触部と、前記舌板に固定される第１連接部と、前記絶縁性本体から延出する第１半田接続部と、を有する。各第２端子は、前記第２表面から露出される第２接触部と、前記舌板に固定される第２連接部と、前記絶縁性本体から延出する第２半田接続部と、を有する。前記複数の第１端子は最外側の第１端子を有し、前記最外側の第１端子の第１接触部が最外側に向かって偏向し、横方向において前記複数の第２端子の第２接触部の配置区域を離れる。【選択図】図６
2016197591.tif 000002
【特許請求の範囲】
【請求項１】
基部と、前記基部から延在しかつ第１表面及び第２表面を含む舌板と、を有する絶縁性本体と、
前記第１表面から露出される第１接触部と、前記舌板に固定される第１連接部と、前記絶縁性本体から延出する第１半田接続部と、を有する複数の第１端子と、
前記第２表面から露出される第２接触部と、前記舌板に固定される第２連接部と、前記絶縁性本体から延出する第２半田接続部と、を有する複数の第２端子と、
を備え、
前記複数の第１端子は最外側の第１端子を有し、前記最外側の第１端子の第１接触部が外側に向かって偏向し、前記複数の第１端子が延在する方向に直交する横方向において、前記複数の第２端子の第２接触部の配置区域から離間されていることを特徴とする電気コネクタ。
【請求項２】
前記複数の第１端子は次外側の第１端子を有し、前記最外側の第１端子が前記次外側の第１端子の外側に配置され、前記次外側の第１端子の第１接触部が、前記最外側の第１端子の第１接触部と同じ方向に向かって偏向され、前記次外側の第１端子の第１接触部が、横方向において前記複数の第２端子の第２接触部の配置区域から離間されていることを特徴とする請求項１に記載の電気コネクタ。
【請求項３】
前記最外側の第１端子と前記次外側の第１端子との間の距離は、前記複数の第１端子の内の前記最外側の第１端子及び前記次外側の第１端子を除く別の第１端子同士の間の距離より、大きいことを特徴とする請求項２に記載の電気コネクタ。
【請求項４】
二列の端子溝が形成される絶縁性本体と、
前記二列の端子溝に挿入される一列の第１端子及び一列の第２端子を含む複数の端子と、を備え、
各第１端子は、第１接触部と、第１半田接続部と、前記第１接触部を第１半田接続部に連接する第１連接部と、を有し、
各第２端子は、第２接触部と、第２半田接続部と、前記第２接触部を第２半田接続部に連接する第２連接部と、を有し、
前記一列の第１端子及び一列の第２端子は、相反する方向に沿って対称的に配置され、
前記一列の第１端子同士の間及び前記一列の第２端子同士の間にはそれぞれ、前記一列の第１端子が延在する方向に直交する横方向に沿って、前記絶縁性本体から形成される隔壁を有し、該隔壁には端子が配置されず、
隣接する二つの第１端子の内の一方の第１端子の第１連接部が、他方の第１端子から離れる方向に向かって折り曲げられ、前記隣接する二つの第１端子の第１半田接続部の間の距離が大きくなり、前記第２端子のうちの一部の第２半田接続部を収納するための第１収納スペースが形成され、
隣接する二つの第２端子の内の一方の第２連接部が、他方の第２端子から離れる方向に向かって折り曲げられ、前記隣接する二つの第２端子の第２半田接続部の間の距離が大きくなり、前記第１端子のうちの一部の第１半田接続部を収納するための第２収納スペースが形成され、
所定の数量の第１半田接続部が所定の数量の第２半田接続部と隣接するように、前記所定の数量の第１半田接続部及び前記所定の数量の第２半田接続部は一列に配置されることを特徴とする電気コネクタ。
【請求項５】
三つの前記第１半田接続部と、三つの前記第２半田接続部と、二つの前記第１半田接続部と、二つの前記第２半田接続部とは、前記横方向において順番に隣接することを特徴とする請求項４に記載の電気コネクタ。
【請求項６】
前記第１端子のうち二つの第１端子の第１半田接続部が、正信号及び負信号を転送する第１端子の第１半田接続部を構成し、かつ、
前記第２端子のうち二つの第２端子の第２半田接続部が、正信号及び負信号を転送する二つの第２端子の第２半田接続部を構成し、
前記正信号及び負信号を転送する二つの第１端子の第１半田接続部が、前記正信号及び負信号を転送する二つの第２端子の第２半田接続部の間に配置されることを特徴とする請求項４に記載の電気コネクタ。
【請求項７】
基部と、前記基部から延在し、第１表面及び第２表面を含む舌板と、を有する絶縁性本体と、
前記第１表面から露出される第１接触部と、第１押圧部と、前記絶縁性本体から延出する第１半田接続部と、を有する複数の第１端子と、
前記第２表面から露出される第２接触部と、第２押圧部と、前記絶縁性本体から延出する第２半田接続部と、を有する複数の第２端子と、
前記絶縁性本体を遮蔽するハウジングと、
第１押圧部及び第２押圧部は、上下方向においてオフセットされることを特徴とする電気コネクタ。
【請求項８】
前記第１接触部と前記第１半田接続部との間には第１連接部が設けられ、
前記第２接触部と前記第２半田接続部との間には第２連接部が設けられ、
前記第１押圧部が前記第１連接部に設けられ、前記第２押圧部が前記第２連接部に設けられ、前記第１押圧部及び第２押圧部がそれぞれ、外側に向かって屈曲されて、前記第１端子および前記第２端子が延在する方向に平行な前後方向に沿って延在するように第１避け部及び第２避け部を形成しており、前記第１避け部及び第２避け部が上下方向においてオフセットされることを特徴とする請求項７に記載の電気コネクタ。
【請求項９】
前記第１接触部の前端及び前記第２接触部の前端にはそれぞれ、第１首部及び第２首部が設けられ、前記第１押圧部及び第２押圧部がそれぞれ、前記第１首部及び第２首部に設けられ、前記第１首部及び第２首部が上下方向においてオフセットされることを特徴とする請求項７に記載の電気コネクタ。
【発明の詳細な説明】
【技術分野】
【０００１】
本発明は、電気コネクタに関し、特に、正面で或いは反対の面で挿入可能な電気コネクタに関するものである。
【背景技術】
【０００２】
従来の電気コネクタは、基部及び舌板を含む絶縁性本体と、前記絶縁性本体に固着される複数の一列の第１端子及び一列の第２端子と、前記絶縁性本体を遮蔽するハウジングと、を備える。前記舌板の上表面及び下表面にはそれぞれ、複数の第１端子溝及び第２端子溝が形成される。各第１端子は、第１接触部と、第１連接部と、第１半田接続部と、を有する。各第２端子は、第２接触部と、第２連接部と、第２半田接続部と、を有する。前記第１端子の第１接触部は、第２端子の第２接触部の近くに位置する。
【０００３】
前記第１端子の第１接触部は、第２端子の第２接触部の近くに位置する。そのため信号転送の妨害が発生し易い。
【先行技術文献】
【特許文献】
【０００４】
【特許文献１】中国実用新案第２０３８５９２６５号公報
【特許文献２】中国実用新案第２０４０６７７０６号公報
【発明の概要】
【発明が解決しようとする課題】
【０００５】
そこで、本発明の目的は、信号転送の妨害が発生し難い電気コネクタを提供することにある。
【課題を解決するための手段】
【０００６】
前記目的を達成するために、本発明の電気コネクタは、絶縁性本体と、基部と、前記基部から延在し、第１表面及び第２表面を含む舌板とを有する絶縁性本体と、複数の第１端子と、複数の第２端子と、を備える。各第１端子は、前記第１表面から露出される第１接触部と、前記舌板に固定される第１連接部と、前記絶縁性本体から延出する第１半田接続部と、を有する。各第２端子は、前記第２表面から露出される第２接触部と、前記舌板に固定される第２連接部と、前記絶縁性本体から延出する第２半田接続部と、を有する。前記複数の第１端子は最外側の第１端子を有し、前記最外側の第１端子の第１接触部が最外側に向かって偏向し、横方向において前記複数の第２端子の第２接触部の配置区域を離れる。
【発明の効果】
【０００７】
従来の技術と比べると、本発明は以下の長所を有する。本発明の最外側の第１端子の第１接触部が横方向において複数の第２端子の第２接触部の配置区域を離れる。これにより、最外側の第１端子が、前記複数の第２端子に対して発生した電磁妨害が低減される。
【図面の簡単な説明】
【０００８】
【図１】本発明の第１実施形態の電気コネクタの組立斜視図である。
【図２】本発明の電気コネクタの部分の分解斜視図である。
【図３】本発明の電気コネクタを別の角度から見た部分の分解斜視図である。
【図４】図１に示す電気コネクタの分解斜視図である。
【図５】図２に示す電気コネクタの端子の斜視図である。
【図６】図２に示す絶縁性本体及び端子のＡ−Ａ線に沿って切断する断面図である。
【図７】図２に示す電気コネクタの端子の製造過程を示す図である。
【図８】本発明の第２実施形態の電気コネクタの組立斜視図である。
【図９】図８に示す電気コネクタの部分の分解斜視図である。
【図１０】図８に示す電気コネクタの端子の斜視図である。
【図１１】図１０に示す電気コネクタの端子の俯瞰図である。
【図１２】図８に示す絶縁性本体及び端子のＢ−Ｂ線に沿って切断する断面図である。
【発明を実施するための形態】
【０００９】
図１〜図７に示すように、本発明の第１実施形態の電気コネクタ１００は、絶縁性本体１と、一列の第１端子２１及び一列の第２端子２２を含む複数の端子２と、一列の第１端子２１と一列の第２端子２２との間に固定される金属片３と、前記絶縁性本体１を遮蔽するハウジング４と、を備える。
【００１０】
前記絶縁性本体１は、基部１１と、前記基部１１から延在し、第１表面１２３及び第２表面１２４を含む舌板１２と、を有する。前記基部１１の上方には、係合溝１１２が形成される。基部１１の前端には、複数の凹溝１１１が形成される。前記舌板１２には、複数の端子溝１０と、前記端子溝１０を貫通する端子孔１２０と、が形成される。
【００１１】
前記第１端子２１の各々は、前記舌板１２の第１表面１２３から露出される第１接触部２１１と、前記舌板１２に固定される第１連接部２１２と、前記絶縁性本体１から延出する第１半田接続部２１３と、を有する。前記第１接触部２１１の前端には、第１首部２１４が設けられる。前記第１首部２１４或いは前記第１連接部２１２には、金型が押圧する第１押圧部が設けられる。第１連接部２１２に設けられる前記第１押圧部は、外側に向かって屈曲され、前後方向に沿って延在するように第１避け部２１５が成型される。
【００１２】
各第２端子２２と、前記舌板１２の第２表面１２４から露出される第２接触部２２１と、前記舌板１２に固定される第２連接部２２２と、前記絶縁性本体１から延出する第２半田接続部２２３と、を有する。前記第２接触部２２１の前端には、第２首部２２４が設けられる。前記第２首部２２４或いは前記第２連接部２２２には、金型が押圧する第２押圧部が設けられる。第２連接部２２２に設けられる前記第２押圧部は、外側に向かって折り曲げられ、前後方向に沿って延在するように第２避け部２２５が成型される。
【００１３】
前記第１首部２１４及び第２首部２２４は上下方向においてオフセットされる。第１押圧部及び第２押圧部は、上下方向においてオフセットされる。前記第１避け部２１５及び第２避け部２２５が上下方向においてオフセットされる。金型を押圧し易い。
【００１４】
図７に示すように、複数の第２端子２２の内の右側の三つの第２端子２２の前端は、成型過程で材料ストリップによって連接され、この材料ストリップを切ることによって、互いに離れる。
【００１５】
図５及び図６に示すように、複数の第１端子２１は、最外側の第１端子２１ａと、次外側の（最外側の第１端子２１ａの次に外側に配置される）第１端子２１ｂと、を含む。前記最外側の第１端子２１ａが前記次外側の第１端子２１ｂの外側に配置される。前記最外側の第１端子２１ａの第１接触部２１１と前記次外側の第１端子２１ｂの第１接触部２１１とは、外側に向かって偏向しており、第１接触部２１１が延在する方向に直交する横方向において、前記複数の第２端子２２の第２接触部２２１が配置される区域を離れる。
【００１６】
前記最外側の第１端子２１ａの第１接触部２１１と前記次外側の第１端子２１ｂの第１接触部２１１との間の距離は、前記複数の第１端子２１の内の最外側の第１端子２１ａと次外側の第１端子２１ｂを除く別の第１端子２１ａの第１接触部２１１との間の距離より、大きい。前記最外側の第１端子２１ａを除く別の第１端子２１の第１接触部２１１は、対応する第２端子２２の第２接触部２２１に対してオフセットされる。第１端子２１が、前記第２端子２２に対して発生する電磁妨害が低減される。
【００１７】
複数の第１端子２１は順番に、接地端子と、パワー端子と、正信号を転送する端子と、負信号を転送する端子と、検出端子と、を構成するように配置される。前記一列の第１端子２１と一列の第２端子２２とは、相反する方向に沿って対称的に配置される。例えば図５では、五つの第１端子２１が順番に左から右へ、接地端子と、パワー端子と、正信号を転送する端子と、負信号を転送する端子と、検出端子と、を構成するように配置される一方で、五つの第２端子２２が順番に右から左へ、接地端子と、パワー端子と、正信号を転送する端子と、負信号を転送する端子と、検出端子と、を構成するように配置される。複数の第２端子２２も、最外側の第２端子２２ａ及び次外側の第２端子２２ｂを含む。
【００１８】
図４に示すように、金属片３は、平板状に形成され、前記絶縁性本体１に固定される支持部３１及び前記支持部３１から下向きに延在する複数の固定足３２を備える。
【００１９】
図１〜図４に示すように、ハウジング４は、頂壁４１と、底壁４２と、一対の側壁４３と、を備える。前記頂壁４１には、前記凹溝１１１に係合する一対の突出部４１１が設けられる。前記底壁４２には、前記係合溝１１２を係止する一対の係止ビーム４２１が設けられる。前記側壁４３には、前記基部１１に固定される一対の固定足４３２が設けられる。
【００２０】
図８〜図１２に示すように、本発明の第２実施形態の電気コネクタ１００’は、絶縁性本体１’と、一列の五つの第１端子２１’及び一列の五つの第２端子２２’を含む複数の端子２’と、一列の第１端子２１’と一列の第２端子２２’の間に固定される金属片３’と、前記絶縁性本体１を遮蔽するハウジング４と、を備える。
【００２１】
図８及び図９に示すように、前記絶縁性本体１’は、基部１１’と、前記基部１１’から延在し、第１表面１２３’及び第２表面１２４’を含む舌板１２’と、を有する。前記舌板１２’には、複数の端子溝１０’と、前記端子溝１０’を貫通して金型を挿入するための複数の端子孔（参照符号は図示せず）が形成される。
【００２２】
各前記第１端子２１’は、前記舌板１２’の第１表面１２３’から露出される第１接触部２１１’と、前記舌板１２’に固定される第１連接部２１２’と、前記絶縁性本体１’から延出する第１半田接続部２１３’と、を有する。前記第１接触部２１１’の前端には、第１首部２１４’が設けられる。前記第１首部２１４’或いは前記第１連接部２１２’には、金型が押圧する第１押圧部が設けられる。前記第１押圧部は外側に向かって屈曲され、前後方向に沿って延在するように第１避け部２１５’が成型される。
【００２３】
各前記第２端子２２’は、前記舌板１２’の第２表面１２４’から露出される第２接触部２２１’と、前記舌板１２’に固定される第２連接部２２２’と、前記絶縁性本体１’から延出する第２半田接続部２２３’と、を有する。前記第２接触部２２１’の前端には、第２首部２２４’が設けられる。前記第２首部２２４’或いは前記第２連接部２２２’には、金型が押圧する第２押圧部が設けられる。前記第２押圧部は外側に向かって折り曲げられ、前後方向に沿って延在するように第２避け部２２５’が成型される。
【００２４】
前記第１首部２１４’及び第２首部２２４’が上下方向においてオフセットされる。第１押圧部及び第２押圧部は、上下方向においてオフセットされる。前記第１避け部２１５’及び第２避け部２２５’が外側に向かって屈曲され、前後方向に沿って延在し、上下方向においてオフセットされる。
【００２５】
図１０及び図１１に示すように、隣接する二つの第１端子２１’の内の一つの第１端子２１’の第１連接部２１２’、例えば第四の第１端子２１’の第１連接部２１２が、他の第１端子２１２’、例えば第三の第１端子２１’から離れる方向に向かって折り曲げられる。前記隣接する二つの第１端子２１’の第１半田接続部２１３’の間の距離が大きくなり、対応する第２端子２２’の第２半田接続部２２３’を収納するための第１収納スペース２３’が形成される。隣接する二つの第２端子２２’の内の一つの第２端子２２’の第２連接部２２２’、例えば第四の第１端子２１’の第１連接部２１２が、他の第１端子２１２’、例えば第三の第２端子２２’から離れる方向に向かって折り曲げられる。前記隣接する二つの第２端子２２’の第２半田接続部２２３’の間の距離が大きくなり、対応する第１端子２１’の第１半田接続部２１３’を収納するための第２収納スペース２４’が形成される。これにより、三つの第１半田接続部２１３’と、三つの第２半田接続部２２３’と、二つの第１半田接続部２１３’と、二つの第２半田接続部２２３’とが、順番に隣接するように、一列に配置される。さらに図１２に図示されるように、一列の第１端子２１’同士の間及び一列の第２端子２２’同士の間にはそれぞれ、第１端子２１’及び第２端子２２’の延在方向に直交する横方向に沿って、絶縁性本体１’から形成される隔壁が形成されており、該隔壁には端子が配置されない。
【００２６】
複数の第１端子２１’は順番に、接地端子、パワー端子と、正信号を転送する端子と、負信号を転送する端子と、検出端子とを構成するように配置される。前記一列の第１端子２１’及び一列の第２端子２２’とは、相反する方向に沿って対称的に配置される。これにより、正信号及び負信号を転送する二つの第１端子２１’の第１半田接続部２１３’、即ち第３の第１端子２１’の第１半田接続部２１３’及び第４の第１端子２１’の第１半田接続部２１３’が、正信号及び負信号を転送する二つの第２端子２２’の第２半田接続部２２３’、即ち第２の第２端子２２’の第２半田接続部２２３’及び第３の第２端子２３’の第２半田接続部２２３’の間に配置される。この配置は、第１実施形態に応用されてもよい。
【符号の説明】
【００２７】
１００、１００’  電気コネクタ
１、１’  絶縁性本体
１０  端子溝
１１  基部
１１１  凹溝
１２  舌板
１０，１０’  端子溝
１１１  凹溝
１１２  係合溝
１２  舌板
１２０  固定孔
１２１  前端部
１２２  被覆部
１２３、１２３’  第１表面
１２４，１２４’  第２表面
２、２’  端子
２１  第１端子
２１１  第１接触部
２１２  第１連接部
２１３  第１半田接続部
２１４  第１首部
２１５  第１避け部
２２  第２端子
２２１  第２接触部
２２２  第２連接部
２２３  第２半田接続部
２２４  第２首部
２２５  第２避け部
２３’    第１収納スペース
２４’    第２収納スペース
３  金属片
３１  支持部
３２  固定足
４  ハウジング
４１  頂壁
４１１  突出部
４２  底壁
４２１  係止ビーム
４３  側壁
４３２  固定足
【図１】
2016197591.tif 000003
【図２】
2016197591.tif 000004
【図３】
2016197591.tif 000005
【図４】
2016197591.tif 000006
【図５】
2016197591.tif 000007
【図６】
2016197591.tif 000008
【図７】
2016197591.tif 000009
【図８】
2016197591.tif 000010
【図９】
2016197591.tif 000011
【図１０】
2016197591.tif 000012
【図１１】
2016197591.tif 000013
【図１２】
2016197591.tif 000014